(57)【特許請求の範囲】
【請求項１】
長尺テープ状物Ｐの巾方向の一方の端が他方側中心部に巻込み多数層の層壁を構成し連続した中空部を構成してなる中空紐状物を製造するに際し、装置の上方に長尺テープ状物Ｐのテープ状物巻上体Ｗの中心軸管Ｒを円盤状トレイの中心に設けた軸芯に嵌着させて水平状態で回転可能な該テープ状物巻上体Ｗの保持手段Ａを第１の枠体１に水平設置すると共に、該水平設置されたテープ状物巻上体Ｗの保持手段Ａには前記円盤状トレイの上面側から下面側の適宜箇所に、テープ状物巻上体Ｗから水平方向に引出されるテープ状物Ｐを、以後の第１枠体内および第２枠体内での経路を鉛直方向とする各位置に複数のガイドローラーを設け、これらガイドローラにより下方へ繰り出される長尺テープ状物Ｐの張力調整手段Ｂおよびめくれ付与手段Ｃを、両手段がその順に鉛直方向に並ぶよう、前記第１の枠体１に設置し、該第１の枠体１を該張力調整手段Ｂおよびめくれ付与手段Ｃでテープ状物Ｐに撚りを加えて形成される中空紐状物Ｓの導通経路方向を仮想中心軸として水平に回転可能に第２の枠体２内に軸支し、第２の枠体２に設置した引取手段Ｄとの間でテープ状物Ｐに撚りを加えるように構成し、前記第２の枠体２に引取手段Ｄを出た中空紐状物をトラバースしつつ巻上げる巻上手段Ｅを設置してなる中空紐状物の製造装置であって、前記テープ状物巻上体Ｗの保持手段Ａをその上方より覆う倒立した鍋様の蓋体と保持手段Ａの取付部下方位置に取付けた前記蓋体の下端面を覆う円盤様体によりテープ状物Ｐの引出穴を除いて実質上密閉室を構成する前記保持手段Ａの密閉手段Ｆを設け、該密閉手段Ｆ内の前記保持手段Ａである円盤状トレイおよび複数のガイドローラーを水平回転するようにしてテープ状物Ｐを密閉された空間内で走行させ、次工程の張力調整手段Ｂおよびめくれ付与手段Ｃに引出すように構成すると共に、該密閉手段Ｆに対して蓋体昇降手段ＧおよびカバーＨを設置してなる中空紐状物の製造装置。
【発明の詳細な説明】
【０００１】
【産業上の利用分野】
本発明は、中空細紐状物製造装置に関し、特に、工業的に実施するのに容易でかつ安定して製造できる製造装置に関するものである。例えば従来例で言えば、畳表や花むしろなどの敷物用製品の原材料として用いる、いわゆる人工い草（藺草）として利用することが出来るが、本発明で得られる中空紐状物は、その長尺を活かして、またその形状、寸法が多様に変化させ得ることを活かして、さらにまたその素材を変化させ得ることを活かして、従来の天然い草では実現出来なかった新規な諸製品を創出し得るものである。従って本発明は、人工い草の製造のみを対象とする製造装置に限られるものではないが、関連した製造技術に鑑み、その一例として、それを製造する装置として説明するものである。
【０００２】
【従来の技術】
天然い草は、国内の生産農家の後継者不足などからその生産は年々減少傾向にあり、その価格は上昇せざるを得ず、今後益々その傾向が深刻化することは必須である。従来からも、その熟練した生産技術や管理技術を必要とする天然い草の生産に替え、その製造が比較的容易で大量生産の可能なポリエチレン、ポリプロピレンなどの合成樹脂製のい草状物が種々提案されてきた。しかし、これら合成樹脂製のものは、その素材が疎水性の合成樹脂であるが故に、また径の太い単なるストロー状物であるが故に、その風合、感触、吸湿特性ならびに機械特性などが天然のい草とはかけ離れたもので、それを原料とする敷物は上記あるいはその他の諸点において我々を決して満足させるものではない。
【０００３】
これら合成樹脂製のい草状物に対して、それを合成樹脂ではなく、紙で造ることも考えられ、例えば特開昭５３−８０８１７号公報には、紙質材料からなる中心部に中空孔が形成された「微少径紙管線基材」が提案され、その製造方法並びに製造装置が開示されている。
【０００４】
しかし、この提案で開示される紙管線基材の製造方法は、紙テープ（１６）を、内部に複雑な螺旋状形態を有する案内板（１１）を内蔵した回動する撚紙管軸（２２）内に通し、該案内板（１１）の筒状案内（１２）より螺旋状変形部（１３）を進行させ、その先端（１４）口より紙管線基材として引き出すものであるが、撚紙管軸（２２）内に螺旋状形態を有する案内板（１１）を内蔵させ、そこに紙テープを通すことなど、その実施操作は容易なものではなく、またその製造装置も、目的とする紙管線基材の変化要求に対して柔軟に対応できず、工業上汎用的に使用できるものではない。
【０００５】
さらにまた、より具体的に示せば、連続したより長尺の紙管線基材を得るために、該紙テープ収容胴（１）に収容する紙テープの長さをできるだけ長くすることが要請されるが、該紙テープ収容胴（１）に収容する紙テープの長さを長くしようとすればする程、該紙テープ収容胴（１）の直径を大きなものとする必要があるが、この装置においては、紙テープ収容胴（１）は、撚りを与えるために撚紙軸（２１）を中心に回転する構成を採るものであり、その回転は収容胴（１）円筒状面で風を切るものとなっている。
【０００６】
従って、その回転により周囲へ風を巻起こす等、周囲並びに操作者への悪影響はもとより、回転領域を確保するための拡い領域を設ける必要があり、またその回転のために大きな駆動力を必要とし、これら不都合は、その収容胴（１）が大きくなればなる程増大する。以上この提案は、工業的な生産方法および装置としては採用し難いものである（なお、本項での符号は引用公報でのものであり、以後での本発明装置の符号ではない）。
【０００７】
【発明が解決しようとする課題】
従って、本発明の目的とするところは、紙、主として和紙からなる従来の畳表や花むしろに好適に適用できる中空細紐状物を製造出来るばかりではなく、その条件設定によって、従来のい草状物とはかけ離れた新規な中空細紐状物あるいは中空紐状物を、均整に、容易にかつ安定して生産可能な製造装置を創出し提供せんとするものであり、特にその製造装置として、構成が極めて簡潔で、その製作が容易であり、かつ、その装置を使って製造を行う実際の作業が容易に行え、またその保守も容易な製造装置を提供せんとするものである。
【０００８】
【課題を解決するための手段】
前記目的を達成するため、本発明はその製造装置を次のように構成した。即ち、本発明は、長尺テープ状物Ｐの巾方向の一方の端が他方側中心部に巻込み多数層の層壁を構成し連続した中空部を構成してなる中空紐状物を製造するに際し、テープ状物巻上体Ｗが水平状態で回転可能に該テープ状物巻上体Ｗの保持手段Ａを第１の枠体１に水平設置すると共に、張力調整手段Ｂおよびめくれ付与手段Ｃを、両手段がその順に鉛直方向に並ぶよう、該第１の枠体１に設置し、該第１の枠体１を、該張力調整手段Ｂおよびめくれ付与手段Ｃで形成されるテープ状物Ｐの導通経路方向を仮想中心軸として水平に回転可能に第２の枠体２内に軸支し、第２の枠体２に設置した引取手段Ｄとの間でテープ状物Ｐに撚りを加えるように構成し、前記第２の枠体２に引取手段Ｄを出た中空紐状物をトラバースしつつ巻上げる巻上手段Ｅを設置してなる中空紐状物の製造装置において、前記テープ状物巻上体Ｗの保持手段Ａをその上方より覆う倒立した鍋様の蓋体と保持手段Ａの取付部下方位置に取付けた前記蓋体の下端面を覆う円盤様体からなり、テープ状物Ｐの引出穴を除いて実質上密閉室を構成する前記保持手段Ａの密閉手段Ｆを設置してなる中空紐状物の製造装置である。
【０００９】
またより好ましくは、本発明において、密閉手段Ｆに設けた蓋体には、該蓋体を昇降させる蓋体昇降手段Ｇを第２の枠体に設置してなる中空紐状物の製造装置である。
【００１０】
また本発明において、密閉手段Ｆに設けた蓋体を昇降させる蓋体昇降手段Ｇは、ピストン棒が上下に昇降できるよう第２の枠体に装着したエアーシリンダーのピストン棒と、蓋体の上端中心部に嵌着した該軸受構造で回転可能な取次部材と、これらの間に取付けたアームとからなる中空紐状物の製造装置である。
【００１１】
また本発明において、回転する密閉手段Ｆには、その蓋体と円盤様体の側面部および底面部を覆う形状のカバーＨを設けてなる中空紐状物の製造装置である。
【００１２】
このように、本発明の特徴は、先に本発明に関与した発明者らが開発した、テープ状物巻上体Ｗの保持手段Ａをその上方より覆う倒立した鍋様の蓋体と保持手段Ａの取付部下方位置に取付けた前記蓋体の下端面を覆う円盤様体からなり、テープ状物Ｐの引出穴を除いて実質上密閉室を構成する前記保持手段Ａの密閉手段Ｆとその蓋体を昇降する蓋体昇降手段Ｇを設置してなる中空紐状物の製造装置としたことにある。
【００１３】
【作用】
本発明の中空細紐状物の製造装置は、張力調整手段Ｂと引取手段Ｄとの間でテープ状物巻上体Ｗから引出されたテープ状物Ｐに所定の張力をかけつつ、めくれ付与手段Ｃでテープ状物の巾方向の一方の端を他方側へめくれ上がるようにそのめくり上がり現象および巻込み現象を起こさせること、しかもそのめくれ上がり、巻込み現象が生起した状態のテープ状物Ｐに、その巻込みが強化される方向に、第１の枠体１（即ち、それに設置されたテープ状物巻上体Ｗの保持手段Ａ、張力調整手段Ｂおよびめくれ付与手段Ｃ）と、第２の枠体２に設置した引取手段Ｄとの間で撚を加えるように構成したもので、これによりテープ状物Ｐの巾方向の一方の端が他方側中心部に巻込み、加撚によってその巻込数を多数とし、従ってその多数の巻込数からなる多数層の層壁Ｌ1，Ｌ2，Ｌ3，・・・を形成し、その中心部には長さ方向に連続した中空部ｈが存在した長尺の紐状物Ｓを形成させるものである。
【００１４】
また本発明は、テープ状物巻上体Ｗが水平状態で回転可能に水平設置する構成を採るので、前記従来例の如く操作上周囲に悪影響をもたらさない。また、本発明装置においては、このようなテープ状物巻上体Ｗに対して密閉手段Ｆおよび昇降手段Ｇを設けたことにより、時として生ずるテープ張力の不安定な変動生起を顕著に阻止でき、これにより、より均一な製品を得ることを可能とし、かつまたそれをより安定して得ることを可能としたものであり、これは実際操業上有効な構成である。更に第２の枠体２に設けた固定の安全カバーＨは、回転する前記密閉手段との接触による作業者の危険を防止する。
【００１５】
【実施例】
以下本発明を、その好適な実施例を基に、その添付図面を用いて説明する。しかし本発明の装置はこの実施例図面のものに限定されるものではなく、その発明の精神の範囲内において変更を行い得るものであることは無論である。
【００１６】
図４は、本発明の中空細紐状物Ｓをつくる原材料としての紙製長尺細巾のテープ状物Ｐを軸管Ｒ上に巻上げた本明細書に言うテープ状物巻上体Ｗを示す。図５は、該テープ状物Ｐを用い、本発明製造装置で得られる中空細紐状物Ｓの一例を示す斜視断面図である。この中空細紐状物Ｓは、前記長尺細巾テープ状物Ｐの一方の端がその巾方向中心部に巻込み、その巻込みが何重ともなって多数層の層壁Ｌ1，Ｌ2，Ｌ3，・・・を構成し、その中心部に、長さ方向に連続した中空部ｈが存在する細紐状物Ｓとなっている。また図６は、中心の中空部がより小さい態様例で、この場合も断面中空部ｈは小さいとはいえ長さ方向に連なって存在し、その壁はテープ状物の一方の端が巾方向中心部に巻込み多数層の層壁Ｌ1，Ｌ2，Ｌ3，・・・を構成した細紐状物Ｓとなっているものである。
【００１７】
図１はその中空細紐状物Ｓをつくる本発明製造装置の一例の側面図、図２は同装置の正面図であり、図３は図１中での、本明細書に言う第１の枠体１に設けたテープ状物巻上体Ｗの保持手段Ａの平面図である。
【００１８】
図１および図２において、直方体状の第１の枠体１は、同じく直方体状の本明細書に言う第２の枠体２内でその上下端を軸支し、自転が可能のように装着されており、これは、第２の枠体２に取付けられたモーター３で駆動されるよう構成されている。この第１の枠体１には、その頂部に、かつ第２の枠体２に接触しないように、該第２の頂部からも突き出た位置にテープ状物巻上体Ｗを水平設置するための保持手段Ａが設けられている。即ち、テープ状物巻上体Ｗの中心軸管Ｒを、円盤状トレイ４の中心に設けた軸芯５に嵌着させて回転可能に保持し、かつ該テープ状物巻上体Ｗから引出されたテープ状物Ｐを次工程に誘導するためのローラー群を備えた保持手段Ａが設けられ、枠体１の自転と共に水平に回転できるように構成されている。
【００１９】
本製造装置では、前記構成から理解されるように、テープ状物巻上体Ｗから引出された細巾テープ状物Ｐに、テープ状物Ｐの巻上体保持手段Ａ、張力調整手段Ｂおよびめくれ付与手段Ｃを装着した第１の枠体１と、第２の枠体２側に装着した引取手段Ｄとの間で撚を付与するために、枠体１側、即ち、それに装着された前記巻上体保持手段Ａから、めくれ付与手段Ｃまでが一体となって自転し、非自転の引取手段Ｄとの間で、テープ状物Ｐに撚を加えるように設けられており、またトレイ４を含む巻上体保持手段Ａは、第１の枠体１の回転にしたがって水平に回転するように設けられている。
【００２０】
従って、該円盤状トレイ４上に軸支され水平置きされているテープ状物巻上体Ｗは、第１の枠体１の自転と共に、その中心軸管の該軸を中心に水平回転するので、前記の従来例で開示される、収容胴円筒状面（巻上げテープの巻上げ側面部に対応する面）で空気を切りその周囲に風を巻起こす、といったことがない。即ち、水平設置した巻上保持手段Ａが水平に回転する本発明の構成は、前記した従来例の不都合を全く解消するものであり、本発明装置での必須の構成である。
【００２１】
このテープ状物Ｐの巻上体保持手段Ａには、その円盤状トレイ４の上面側から下面側の適宜箇所に、図１および図３で示されるようにテープ状物巻上体Ｗから水平方向に引出されるテープ状物Ｐを、以後の第１枠体１内および第２枠体２内での経路を鉛直方向とするためのガイドローラー６1，６2，６3，・・・が設けられ、さらに該円盤状トレイ４を取付けている取付部にもガイドローラー７が設けられ、テープ状物Ｐの経路を規制している。このガイドローラー７およびその取付部は、上記ガイドローラー６1，６2，６3，・・・と同じく、要は、テープ状物Ｐの経路を第１枠体１内中心部としその上下方向に走行できるように規制できるガイドであればよく、その形状や取付位置は適宜選択すればよい。
【００２２】
ところで、本発明での円盤状トレイ４からなる巻上体保持手段Ａが水平に回転する構成については、長尺テープ状物巻上体Ｗからテープを引出し解除してゆく時、時により、途中でテープにかかる張力が変化し、しかもその張力がバラつき一定しない場合が生ずることが解った。この張力の変動は、一定した連続的な変動であればその変動を調整する手段を施すことは比較的に容易であるが、その変動が一定せずバラつく場合には、それを調整することが難しく、したがって、得られる中空紐状物の安定な製造を妨げる。
【００２３】
従って、テープ状物Ｐの引出し時の張力のバラツキは均一な製品を得るためには排除すべき要因であり、本発明者らは、時としての、このようなテープ張力の不安定な変動について子細に検討した結果、上記円盤状トレイ４からなる巻上体保持手段Ａが水平に回転しテープが上記ガイドローラー６1，６2，６3，・・・、ガイドローラー７に導かれ走行する際、該保持手段Ａのテープ引出穴を下方から上方に向かう気流や水平回転による気流が生じ、これ等複雑な気流が該ガイドに沿って走行するテープに当たり、その張力を変動させていることがその一因であることを突止めた。
【００２４】従って本発明は、時としての、少なくともこのような気流でのテープへの悪影響を防ぐための好適な構成として、テープ状物巻上体Ｗの保持手段Ａを包込み、テープ状物の引出穴部位を除いて実質上密閉する密閉手段Ｆ（図１、２参照）を設置し、該保持手段Ａを該密閉された密閉手段Ｆ内で水平回転するようにし、引出されるテープは密閉された室内で走行し上記気流の影響を排除して次工程に引出すように構成するものである。
【００２５】
図１は、本発明でのテープ状物巻上体Ｗの保持手段Ａを密閉する密閉手段Ｆの一例を示しており、この場合該密閉手段Ｆは、前記保持手段Ａをその上方より覆う倒立した鍋様の蓋体１８1と前記保持手段Ａの取付部下方位置に取付けた前記蓋体１８1の下端面を覆い該蓋体１８1内を実質上密封する円盤様体１８2からなる。
【００２６】
上記蓋体１８1は一般的に大きな径の重量物となり、かつ高い位置での取扱いとなるので、このような場合の好適な実施態様としては、図例の如く、該蓋体１８1を、第２の枠体２に設置した昇降手段Ｇにより昇降させるように構成することが好ましい。図例の場合、該昇降手段Ｇは、ピストン棒が上下に昇降できるよう第２の枠体２に装着したエアーシリンダー１９と、該ピストン棒に取付けたアーム２０、軸受構造で、回転可能な取次部材２１からなり、該取次部材２１はその先端が前記蓋体１８1の上端中心部に嵌着している。即ち、ピストン棒の上昇操作により該蓋体１８1を持上げ、その状態で前記テープ状物巻上体Ｗの装・脱着ができ、下降操作により該蓋体１８1を前記円盤様体１８2位置まで降ろし両者間でテープ状物巻上体保持手段Ａを密閉する密閉体を構成させるものである。
【００２７】
本発明装置においては、このような密閉手段Ｆおよび昇降手段Ｇにより、時として生ずるテープ張力の不安定な変動生起を顕著に阻止できるようにしたものであり、これにより、より均一な製品を得ることを可能とし、かつまたそれをより安定して得ることを可能としたものであり、これは実際操業上有効な構成である。なお図１、２において、符号Ｈは、回転する前記密閉手段との接触による作業者の危険を防止するために第２の枠体２に設けた固定の安全カバーであり、図例では、該カバーＨは密閉手段Ｆの側面部および底面部をカバーするものとなっている。
【００２８】
図１、２において、ガイドローラー７の下方位置、第１の枠体１の左右の枠板８1，８2（図２参照）には、上記ガイドローラー７で導かれたテープ状物Ｐの張力を調整するためのローラー９と、その前後に設けられテープ状物Ｐと該ローラー９との接触長を好適に設定するためのローラー１０1，１０2からなるテープ状物Ｐの張力調整手段Ｂが設けられている。
【００２９】
このローラー９としては、例えばマグネットを用いてトルクを可変としたマグネットローラーが用いられるが、これに限らず公知のいずれの方式のテンション調整ローラーをも用いることができる。
【００３０】
また、これら張力調整のためのローラーユニットは、その表面に、テープ状物Ｐを確実に把持させるために、ゴム等の弾性体を被覆した弾性体被覆ローラーとすることが好ましい。またこれらローラーユニットは、その被覆弾性体が摩耗して取り替えることが容易なように、そのローラーを片持ちローラーとするか、ローラー軸の少なくとも一方が容易に取外し可能の構造とすることが好ましい。
【００３１】
本発明の装置は、中空紐状物Ｓを製造するために用いるテープ状物Ｐがその製造上適度な引張強力があり、伸度が低く、かつその端から巻込んで中空紐状あるいは中空筒状とするための適度な可撓性を有するものであれば、特にその素材が限定されるものではなく、和紙をはじめとするいわゆる紙はもとより、可撓性重合体（プラスチック）からなるフイルム状物、シート状物、あるいはアルミ箔等金属からなるフイルム状物、シート状物をも用いることができる。
【００３２】
ところで、テープ状物Ｐの張力調整手段Ｂは、テープ状物を均一な中空紐状物として工業的に生産せんとする場合には、該テープ状物を、例えばその不均一な伸びや切断に至らせず、均一な張力関係で導出し処理することが肝要である。また、テープ状物Ｐの材質の変化に対しても張力を調整することが必要であり、この材質変化に対して張力を調整でき、均一な張力関係で処理することが肝要である。
【００３３】
従って、本発明装置にとっては、まずこの張力調整手段Ｂは、それでその張力を常に一定に管理することができ、しかもその張力を、必要により簡単に、かつ大きく自由に調整変更できる点で、本発明装置において必須の構成である。
【００３４】
更に、この第１の枠体１の張力調整手段Ｂの前方位置（図の下方位置）には、同じくその左右の枠板８1，８2に、一対の互いにその軸方向を変位させたローラー１１1，１１2からなる、テープ状物Ｐの本明細書で言うめくり付与手段Ｃが装着されている。この一対の変位ローラー１１1，１１2は、張力調整手段Ｂより送出されたテープ状物Ｐをその移動経路を安定に維持しつつ該テープ状物Ｐの巾方向の一方の端が他方側にめくれ上がり、巻込みを開始するように機能するためのローラーユニットである。
【００３５】
図７は、その点をより詳細に説明するための図で、テープ状物Ｐが中空細紐状物に変形する過程を説明するための概念図である。今、図２の紙面上で該テープ状物Ｐの移動方向（即ち、上下方向）をＹ軸方向、テープ状物Ｐの巾方向（即ち、左右方向）をＸ軸方向、紙面に垂直な面をＺ軸方向とすれば、ローラー１１1および１１2は、その左右の軸受点をＹ軸方向に対して変位させると共にＺ軸方向に対しても変位させて軸架しており、図７のローラー１１1および１１2は、この軸変位の状態を示したものである。
【００３６】
そしてより詳細には、本実施例の場合、テープ状物ＰをＹ軸方向（下方方向）に導出する張力調整装置Ｂから（あるいは必要ならば、さらに該導通路を正しく規制するガイド（図示せず）を介して）導出されるテープ状物Ｐを、図例の場合、ローラー１１1ではその右軸方向に進ませるように捻りを与えると共に、ローラー１１2では反対にその左軸方向に進ませるように軸架している。
【００３７】
即ち、このローラー１１1および１１2の両者で、テープ状物Ｐの導通路の偏位をバランスさせ、該テープ状物Ｐの導通路が一方向に偏りを生じて移動することを防ぎその導通路を安定させると共に、その上で、ローラー１１2で捻りを与えられたテープ状物ＰをＹ軸方向（鉛直下方方向）へ、引取りローラー１３からなる引取手段Ｄで引き取ることによって、テープ状物Ｐは、ローラー１１2を離れた瞬間からその巾方向の端、図例ではその左端がめくれ上がってその中心部方向に巻込む状態となり、即ち中空状物の形成の開始が始まるものである。
【００３８】
そして、本装置においては、前記テープ状物Ｐの保持手段Ａからめくり付与手段Ｃまでの諸手段が自転し、非自転の引取手段Ｄとの間で上記状態のテープ状物Ｐに撚を付与することとなるので、これにより、前記の巾方向一端から始まった巻込みを増加させることとなり、これにより、形成が始まった中空状物の層壁を何重にも増加させたものに形成するものである。
【００３９】
即ち、図５および６の部分的な断面を含む拡大した斜視図で示されるように、テープ状物Ｐの巾方向の一方の端がその巾方向で他方の端の中心部に巻込み、何重もの層壁Ｌ1，Ｌ2，Ｌ3，・・・を構成して中空の細紐、細筒状物となり、テープ状物Ｐの巾方向の他方の端は該細紐、細筒状物の最表面の層壁となり、この端は上記の製造上、細紐、細筒状物の長さ方向に対して螺旋を描く状態の端となること、即ち、全体形状としては、細巾テープ状物がスパイラルに巻き上げられた中空状物、より具体的には、例えば２５ｍｍ巾の和紙から直径１ｍｍ、中空孔径０．４５ｍｍ、層数（巻込数）１１、外表面のスパイラルピッチ３０ｍｍからなるその外径寸法が極めて均一な中空細紐状物が形成されるものである。
【００４０】
なお、ローラー１１1および１１2は、上記のようにその軸方向をＹ軸方向およびＺ軸方向に変位させて軸架するものであるので、両者ローラー間でテープ状物Ｐにしわや弛みの状態が生じる状態となり易く、かかる状態となると該テープ状物Ｐの切断を生ずることともなるので、このようなしわや弛みの状態が生じないように両各ローラーの軸受点を調整することが肝要であり、従ってその軸受点を調整するためには、その軸を支持する第１の枠体１の前記左右の枠板８1，８2での軸の支持部を、軸を変位させて固定させることができるよう長穴の支持部（図示省略）としておくことが実際の操業上好ましいことである。
【００４１】
即ち、本発明装置では、ローラー１１1および１１2でテープ状物Ｐの導出路が偏位することなく一定位置に維持しつつ、その巾方向での接触点の変位を起こさせ、これにより該テープ状物Ｐの巾方向の一方の端が他方端側への中心部に向かってめくれ上がる（巻込む）起因をつくるものであり、この一対の簡潔な軸変位ローラーによって上記作用を生ぜしめる構成は、本発明製造装置での必須の構成である。
【００４２】
また本発明装置は、巾方向の一方の端が他方端側への中心部に向かってめくれ上がる状態としたテープ状物Ｐに、テープ状物巻上体Ｗの保持手段Ａ、張力調整手段Ｂおよびめくれ付与手段Ｃを装着した第１の枠体１を自転させるように構成し、該枠体１に装着した前記めくれ付与手段Ｃと第２の枠体２上に装着した非自転の引取手段Ｄとの間でテープ状物Ｐに加撚作用が加わるように構成したこと、即ちこの構成によって、前述の如くテープ状物Ｐの巾方向の一方の端が他方の端の中心部に巻込み、何重もの層壁Ｌ1，Ｌ2，Ｌ3，・・・を構成して中空の細紐状物Ｓとするものであり、この加撚のための構成も、本発明装置での必須の構成である。
【００４３】
なお、第１の枠体１上の前記めくれ付与手段Ｃと第２の枠体２上の前記引取手段Ｄとの間の間隔は、ある程度の距離があることが望ましい。テープ状物Ｐの巾、その張力条件、その送り速度、その加撚速度、求める細紐状物の径、層壁数など、他の製造諸条件との関係もあるが、この距離があまり狭い（小さい）ものであっては、本発明の目的とする良好な中空紐状物を製造することが出来ず、これら諸条件にしたがって好適な範囲を決定することが必要である。
【００４４】
図１、２において符号１２は案内ガイドであり、前記変位ローラー１１1，１１2でテープ状物Ｐをその巾方向に巻込状態とし加撚して得られた中空細紐状物Ｓを第２の枠体２に設置した引取りローラー１３からなる引取手段Ｄへ導くためのものであって、このガイド１２それ自体でテープ状物を絞り中空細紐状物Ｓを形成するものではない。即ち、この案内ガイド１２は、本発明にとって必須の構成ではなく、省略することも可能である。
【００４５】
引取手段Ｄを構成する引取りローラー１３は、第２の枠体２に設置したギヤードモーター１４から変速機１５を介して駆動される。この引取りローラー１３は、テープ状物Ｐをしっかりと把持して、めくれ付与手段Ｃとの間で該テープ状物Ｐに安定した加撚を付与することが必要があり、また結局、テープ状物Ｐの加工速度を一定に維持するものであり、形成された中空細紐状物Ｓを、滑りを生ずることなく引き取りを行う重要な構成である。即ちこのローラー１３は、その表面をゴムや合成樹脂で被覆した弾性体被覆ローラーとすることが好ましい。
【００４６】
符号１６は、引取りローラー１３を出た中空細紐状物Ｓを、図１、２では上下方向にトラバース移動させ巻取るためのトラバース装置であり、符号１７は、該トラバースされた中空細紐状物Ｓを上下縦方向に巻上げる巻上げローラーであり、これらは、本明細書で言う巻上手段Ｅを構成する。これらは上記引取りローラー１３と同じく、ギヤードモーター１４により変速機１５を介して駆動される。なお、この巻上げローラー１７で形成された中空細紐状物を巻き上げる場合、その巻上径の変化により巻上張力および巻上速度が変わり、これにより巻上げる中空細紐状物に悪影響を与えることとなるので、巻上げローラー１７は、その巻上張力を一定に保つようにするために、例えばトルクリキーパー等の張力調整機構２２を備えることが好ましい。
【００４７】
ところで、このトラバース装置１６および巻上げローラー１７からなる巻上手段Ｅは、本図例では前記引取りローラー１３からなる引取手段Ｄと同じく、第２の枠体２に装着されているが、必ずしもこの実施態様に限られるものではなく、別に駆動源を取り、第２の枠体とは別の他の枠体または機台に設置して巻取るように構成してもよい。また形成された中空細紐状物Ｓを水平横方向にトラバースさせ、横方向に巻き取るように構成してもよい。
【００４８】
また本実施例では、テープ状物Ｐへの加撚機構は、第２の枠体２に装着した引取手段Ｄを非自転側とし、テープ状物Ｐ巻上体Ｗの保持手段Ａからめくれ付与手段Ｃまでを装着した第１の枠体１を自転側として自転させるように構成したものであるが、これはテープ状物Ｐ巻上体Ｗの保持手段Ａからめくれ付与手段Ｃまでを非自転とし、引取手段Ｄ側を自転するように構成することも出来る。
【００４９】
また上記実施例は、第１および第２の枠体１、２ならびにそれに装着される諸手段ＡないしＤが、いわばテープ状物Ｐの走行方向が上方位置から下方位置への縦方向（鉛直方向）への移動となるように構成されたものであるが、テープ状物Ｐの走行方向が横方向（水平方向）への移動となるように構成することも無論可能である。
【００５０】
【発明の効果】
以上で説明し理解されるように、本発明の装置は、大きく言って、テープ状物（中空紐状物）の引取速度（図例では引取りローラー１３での引取速度）と、テープ状物Ｐへの加撚速度（図例では第１の枠体１の回転速度）との両者の条件設定によって、その口径、その層壁数、その断面状態の種々の異なった中空紐状物を容易に製造し得るものである。そして、その製造装置としては、構成が極めて簡潔で、その製作が容易であり、かつ、特に、テープ状物Ｐ巻上体Ｗの設置が水平設置で、水平方向状態で回転するように構成したものであるので、その回転による不都合が解消され、その装置を使用する作業者の作業が容易に行えるものであり、またその保守も容易かつ安全であり、工業的な製造装置として極めて優れた実用性の高いものである。
【図面の簡単な説明】
【図１】  細紐状物を製造する本発明の製造装置の一例を示す、部分的に断面を含む側面図である。
【図２】  図１での製造装置の正面図を示す。
【図３】  図１での製造装置の平面図を示す。
【図４】  本明細書でのテープ状物巻上体Ｗの斜視図を示す。
【図５】  本発明装置で得られる中空細紐状物Ｓの一例を示す部分的に断面を含む拡大した斜視図を示す。
【図６】  本発明装置で得られる中空細紐状物Ｓの他の例を示す部分的に断面を含む拡大した斜視図を示す。
【図７】  本発明装置で、めくれ付与手段Ｃから出たテープ状物Ｐが引取手段Ｄとの間で中空の細紐状物となる様子を説明する模式図である。
【符号の説明】
Ｐ  長尺テープ状物
Ｗ  長尺テープ状物Ｐを巻上げたテープ状物巻上体
Ｒ  テープ状物巻上体の中心軸管
Ｓ  中空細紐状物
Ｌ1，Ｌ2，Ｌ3，・・・中空細紐状物Ｓの各層壁
ｈ  中空細紐状物Ｓの中空部
１  第１の枠体
２  第２の枠体
３  モーター
Ａ  テープ状物巻上体Ｗの保持手段
４  円盤状トレイ
５  円盤状トレイ４に設けた軸芯
６1，６2，６3，・・・ガイドローラー
７  ガイドローラー
Ｂ  テープ状物Ｐの張力調整手段
８1，８2  第１の枠体１の左右の枠板
９  テンションローラー
１０1，１０2  ガイドローラー
Ｃ  めくれ付与手段
１１1，１１2  変位ローラー
１２  案内ガイド
Ｄ  引取手段
１３  引取りローラー
１４  ギヤードモーター
１５  変速機
Ｅ  中空細紐状物Ｓの巻上手段
１６  トラバース装置
１７  巻上げローラー
Ｆ  テープ状物巻上体保持手段Ａの密閉手段
１８1  倒立した鍋様蓋体
１８2  円盤様体
Ｇ  密閉手段Ｆの昇降手段
１９  エアーシリンダー
２０  アーム
２１  取次部材
Ｈ  安全カバー
２２  張力調整機構（トルクキーパー）
【図１】
0003785208.tif 000002
【図２】
0003785208.tif 000003
【図３】
0003785208.tif 000004
【図４】
0003785208.tif 000005
【図５】
0003785208.tif 000006
【図６】
0003785208.tif 000007
【図７】
0003785208.tif 000008